(57)【要約】赤外線温湿布の複数の温度モード及びこの複数の温度モードに対応するパルスを予め設定するステップと、ユーザーが選択した温度モードを受信するステップ（Ｓ２１）と、この選択した温度モードに対応するパルスを出力することによって前記赤外線温湿布を前記パルスに対応する温度モードで動作させるステップ（Ｓ２２）と、を含む。【選択図】図２
2014500080.tif 000002
【特許請求の範囲】
【請求項１】
赤外線温湿布の複数の温度モード及び前記複数の温度モードに対応するパルスを予め設定するステップと、
ユーザーが選択した温度モードを受信するステップと、
前記選択した温度モードに対応するパルスを出力することによって前記赤外線温湿布を前記パルスに対応する温度モードで動作させるステップと、
を含むことを特徴とするマッサージ装置の制御方法。
【請求項２】
前記マッサージ装置は、多周波振動ドライバーを備え、
前記多周波振動ドライバーの複数の振動モードに対応するパルスを予め設定するステップと、
ユーザーが選択した振動モードを受信し、前記多周波振動ドライバーに前記振動モードに対応するパルスを出力するステップと、
を更に含むことを特徴とする請求項１に記載のマッサージ装置の制御方法。
【請求項３】
前記マッサージ装置は、空気ポンプと、空気ポンプに接続されるエアポケットとを更に備え、
複数のエアポケット動作モードに対応するパルスを予め設定するステップと、
ユーザーが選択したエアポケット動作モードを受信し、前記空気ポンプに前記エアポケット動作モードに対応するパルスを出力するステップと、
を更に含むことを特徴とする請求項１に記載のマッサージ装置の制御方法。
【請求項４】
前記ユーザーが選択した温度モードを受信するステップは、
有線又は無線方式によりユーザーが選択した温度モードを受信することを含むことを特徴とする請求項１に記載のマッサージ装置の制御方法。
【請求項５】
予め設定した赤外線温湿布の複数の温度モード及び前記複数の温度モードに対応するパルスを記憶するための記憶ユニットと、
ユーザーが選択した温度モードを受信するためのモード受信ユニットと、
前記選択した温度モードに対応するパルスを出力することによって前記赤外線温湿布を前記パルスに対応する温度モードで動作させる対応出力ユニットと、
を含むことを特徴とするマッサージ装置。
【請求項６】
多周波振動ドライバーを更に備え、
前記記憶ユニットは、予め設定した前記多周波振動ドライバーの複数の振動モードに対応するパルスも記憶し、
前記モード受信ユニットは、ユーザーが選択した振動モードも受信し、
前記対応出力ユニットは、前記多周波振動ドライバーに前記振動モードに対応するパルスも出力することを特徴とする請求項５に記載のマッサージ装置。
【請求項７】
空気ポンプと、空気ポンプに接続されるエアポケットとを更に備え、
前記記憶ユニットは、予め設定した複数のエアポケット動作モードに対応するパルスも記憶し、
前記モード受信ユニットは、ユーザーが選択したエアポケット動作モードも受信し、
前記対応出力ユニットは、前記空気ポンプに前記エアポケット動作モードに対応するパルスも出力することを特徴とする請求項５に記載のマッサージ装置。
【請求項８】
音楽再生装置を更に備えることを特徴とする請求項５に記載のマッサージ装置。
【請求項９】
頭部マッサージ器、足部マッサージ器又は眼部マッサージ器に設けられることを特徴とする請求項５に記載のマッサージ装置。
【発明の詳細な説明】
【技術分野】
【０００１】
本発明は保健分野に関し、特に、マッサージ装置の制御方法及びマッサージ装置に関する。
【背景技術】
【０００２】
社会の進歩及び科学の発展に従い、知能制御設備が伝統分野に徐々に普及し、例えば、マッサージ設備により漢方医学灸療法を実現した。現在、漢方医学灸療法を実現するマッサージ装置は、主に、マッサージ装置におけるＣＰＵによって固定パルスを発生して遠赤外線温湿布に温度を保持させ、その温度によってアーキュポイント（つぼ）を刺激して伝統的な漢方医学灸療法を実現する。
【０００３】
従来の技術に係る技術提案によれば、従来の技術には、以下のような技術問題があった。
【０００４】
従来の技術に係るマッサージ装置の制御方法において、ＣＰＵが固定パルスを発生するため、遠赤外線温湿布の温度は一定であり、赤外線温湿布の温度を調節できない。
【発明の概要】
【発明が解決しようとする課題】
【０００５】
本発明の目的は、従来の技術において、固定パルスにて赤外線温湿布の温度を制御することで赤外線温湿布の温度を調節できない問題を解決するマッサージ装置の制御方法を提供することにある。
【０００６】
さらに、本発明の別の目的はマッサージ装置を提供することにある。
【課題を解決するための手段】
【０００７】
本発明は、
赤外線温湿布の複数の温度モード及びこの複数の温度モードに対応するパルスを予め設定するステップと、
ユーザーが選択した温度モードを受信するステップと、
この選択した温度モードに対応するパルスを出力することによって前記赤外線温湿布を前記パルスに対応する温度モードで動作させるステップと、を含むマッサージ装置の制御方法である。
【０００８】
本発明は、
予め設定した赤外線温湿布の複数の温度モード及びこの複数の温度モードに対応するパルスを記憶するための記憶ユニットと、
ユーザーが選択した温度モードを受信するためのモード受信ユニットと、
この選択した温度モードに対応するパルスを出力することによって前記赤外線温湿布を前記パルスに対応する温度モードで動作させる対応出力ユニットと、を含むマッサージ装置である。
【０００９】
本発明は、従来技術に比べると、本発明の技術提案において、複数の種類の温度モードを設定し、ユーザーが選択した温度モードに応じて、このモードに対応する温度を出力することによって赤外線温湿布の温度を調節するという有益な効果を有する。よって、この技術提案は、赤外線温湿布温度を調節できる利点を有する。
【図面の簡単な説明】
【００１０】
【図１】本発明の実施例１に係るマッサージ装置の構成図であり、マッサージ装置と制御器との接続方式が無線接続方式であることを示す図。
【図２】本発明の実施例１に係るマッサージ装置の制御方法のフローチャート。
【図３】本発明の実施例２に係るマッサージ装置の構成図。
【発明を実施するための形態】
【００１１】
本発明の目的、技術提案及び利点を明らかにするため、以下、図面及び実施例を参照しながら本発明について詳しく説明する。理解すべきは、以下で記載する具体的な実施例は、単に本発明を説明するためのものであり、本発明を限定するものではない。
【００１２】
（実施例１）
この実施例は、図１に示すマッサージ装置によって為されたマッサージ装置の制御方法を提供し、この方法では、マッサージ装置に赤外線温湿布の複数の温度モード（例えば高温、中温、低温）に対応するパルスを予め設定する。この方法は図２に示すように、具体的には、
ユーザーが選択した赤外線温湿布の温度モードを受信するＳ２１と、
選択した温度モードに対応するパルスを出力することによって赤外線温湿布をこのパルスに対応する温度モードで動作させるＳ２２と、を含む。
【００１３】
選択可能なのは、上述した方法はＳ２２の後で、
ユーザーの反応データを検出し、この反応データに応じてこの温度モードに対応するパルスのデューティ比及び／又はこのパルスの周期を調節するステップを更に含んでよい。
【００１４】
説明すべきは、上述したユーザーの反応データは、ユーザーの当時の血圧、ユーザーの動作の強さの大きさ等でよい。上述したユーザーの反応データを検出してパルスを調節することによって赤外線温湿布温度を制御するメカニズムは、マッサージの分野において、例えばこの設備の温度がユーザーに対して適当である場合、ユーザーの反応データが合理的な範囲にあるといえる。血圧を例にすると、ユーザーの正常な血圧が１２０／８０である場合、赤外線温湿布の温度は適当であるとする。ユーザーの血圧が正常な血圧の範囲、例えば１１５〜１２５／７５〜８５の範囲（勿論、この範囲は設定された他の範囲でもよい）にあるためである。逆に、赤外線温湿布の温度が高すぎると、ユーザーが緊張感を持つため、血圧が正常な血圧の範囲を超える。この場合、赤外線温湿布の温度を調節する必要がある。即ち、上述した対応するパルスのデューティ比及び／又はパルスの周期を低減することによって赤外線温湿布の温度調節の効果（デューティ比または周期のいずれかを調節しても温度調節の効果を達成できるため、任意に選択してもよい）を達成する。この原理に基づき、この方法はユーザーの反応（即ち、反応データ）に応じて温度モードで赤外線温湿布の温度を自動的に調節でき、ユーザーに適当な赤外線温湿布温度を提供できる。
【００１５】
説明すべきは、この反応データに応じて、この温度モードに対応するパルスのデューティ比及びパルスの周期を調節するメカニズムは、具体的には、反応データが予め設定した範囲よりも高いと、この温度モードに対応するパルスのデューティ比及び／又はこのパルスの周期を低減し、反応データが予め設定した範囲よりも低いと、この温度モードに対応するパルスのデューティ比及び／又はこのパルスの周期を向上することである。
【００１６】
選択可能なのは、上述した方法におけるマッサージ装置は、多周波振動ドライバーを更に含んでよく、この方法はＳ２１の前又はＳ２２の後に、
多周波振動ドライバーの複数の振動モード（例えば強、中、弱モード）に対応するパルスを予め設定するステップと、
ユーザーが選択した振動モードを受信し、多周波振動ドライバーにこの振動モードに対応するパルスを出力するステップと、を更に含んでよい。
【００１７】
説明すべきは、ユーザーが選択した振動モードで、ユーザーの反応データによって振動の強さを調節してもよい。
【００１８】
選択可能なのは、上述した方法におけるマッサージ装置は、空気ポンプと空気ポンプに接続されるエアポケットとを更に含んでよく、この空気ポンプはエアポケットの圧力を制御し、この方法はＳ２１の前又はＳ２２の後に、
複数のエアポケット動作モードに対応するパルスを予め設定するステップと、
ユーザーが選択したエアポケット動作モードを受信し、空気ポンプにこのエアポケット動作モードに対応するパルスを出力するステップと、を更に含んでよい。
【００１９】
説明すべきは、上述したユーザーが選択したモード（温度モード、エアポケット動作モード、振動モードを含む）を受信するステップは、いずれも有線又は無線方式でユーザーが選択したモードを受信してよい。具体的には、例えば有線方式の場合、マッサージ装置にすべての動作モードが配置された制御器を装着する。例えば無線方式の場合、マッサージ装置に無線受信機を装着し、無線制御器にすべての動作モードを配置する方式によって実現できる。ここで、無線方式は、例えば赤外線、ブルートゥース等の近距離伝送方式でよい。
【００２０】
本発明の具体的な実施例に係る方法は、複数の温度モードに対応するパルスを予め設定し、そしてユーザーが選択した温度モードに応じてこの温度モードに対応するパルスを出力することによって、赤外線温湿布の温度調節の目的を達成する。且つ、この方法は、この赤外線温湿布に対するユーザーの反応データによってもこの赤外線温湿布の温度を動態的に調整できるため、ユーザーの反応データによって赤外線温湿布温度を自動的に調整できる利点を有する。また、この方法は、ユーザーに複数種類の振動モード及び複数種類のエアポケット動作モードを提供して選択される。
【００２１】
（実施例２）
本実施例は、図３に示すように、
予め設定した赤外線温湿布の複数の温度モード及びこの複数の温度モードに対応するパルスを記憶する記憶ユニット３１と、
ユーザーが選択した温度モードを受信するモード受信ユニット３２と、
この選択した温度モードに対応するパルスを出力することによって前記赤外線温湿布を前記パルスに対応する温度モードで動作させる対応出力ユニット３３と、を含むマッサージ装置を提供する。
【００２２】
選択可能なのは、上述したマッサージ装置は多周波振動ドライバーを更に含んでよく、記憶ユニット３１は予め設定した多周波振動ドライバーの複数の振動モードに対応するパルスも記憶し、モード受信ユニット３２はユーザーが選択した振動モードも受信し、対応出力ユニット３３は多周波振動ドライバーにこの振動モードに対応するパルスも出力する。
【００２３】
選択可能なのは、上述したマッサージ装置は、空気ポンプと、空気ポンプに接続されるエアポケットとを更に含んでよく、記憶ユニット３１は予め設定した複数のエアポケット動作モードに対応するパルスも記憶し、モード受信ユニット３２はユーザーが選択したエアポケット動作モードも受信し、対応出力ユニット３３は空気ポンプにこのエアポケット動作モードに対応するパルスも出力する。
【００２４】
選択可能なのは、上述したマッサージ装置は、音楽再生装置を更に含んでよい。この音楽再生装置は、具体的には、ＭＰ３の再生装置でよいが、その他の音楽再生装置でもよい。
【００２５】
選択可能なのは、上述した装置は、頭部マッサージ器、足部マッサージ器又は眼部マッサージ器に設けられる。
【００２６】
本発明の具体的な実施方式に係るマッサージ装置は、複数の温度モードに対応するパルスを予め設定し、ユーザーが選択した温度モードに応じてこの温度モードに対応するパルスを出力することによって、赤外線温湿布の温度調整の目的を達成する。つまり、このマッサージ装置は赤外線温湿布温度を調整する目的を有する。
【００２７】
注意すべきは、上述したシステムでは、含まれたそれぞれのユニットは単に機能ロジックによって区分けされているが、上述した区分けに限定されることなく、対応した機能を実現できればよい。また、各機能ユニットの具体的な名称も単に区別しやすくするためのものであり、本発明の保護範囲を制限するものではない。
【００２８】
また、本領域の通常技術者（当業者）が理解すべきは、上述した実施例における方法の全部又は一部のステップは、ＲＯＭ、磁気ディスク又は光ディスクなどのコンピュータの読み取り可能な媒体に記憶した対応するプログラムによって、関連するハードウェアを指示して達成できる。
【００２９】
前記をまとめると、本発明に係る技術提案におけるＧＰＳ地図は会社情報を含み、ＧＰＳ端末のナビゲーションに便利である利点を有する。
【００３０】
以上の記載は単に本発明の好適な実施例を示すものであり、本発明を制限するものではなく、本発明の精神及び原則内になされた修正、同等の取替え及び改良などは、いずれも本発明の保護範囲に含まれることは勿論である。
【符号の説明】
【００３１】
３１  ・・・・記憶ユニット
３２  ・・・・モード受信ユニット
３３  ・・・・対応出力ユニット
Ｓ２１  ・・・ユーザーが選択した赤外線温湿布の温度モードを受信するステップ
Ｓ２２  ・・・選択した温度モードに対応するパルスを出力することによって赤外線温湿布をこのパルスに対応する温度モードで動作させるステップ
【図１】
2014500080.tif 000003
【図２】
2014500080.tif 000004
【図３】
2014500080.tif 000005
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
赤外線温湿布の複数の温度モード及び前記複数の温度モードに対応するパルスを予め設定するステップと、
ユーザーが選択した温度モードを受信するステップと、
前記選択した温度モードに対応するパルスを出力することによって前記赤外線温湿布を前記パルスに対応する温度モードで動作させるステップと、
を含むことを特徴とするマッサージ装置の制御方法。
【請求項２】
前記マッサージ装置は、多周波振動ドライバーを備え、
前記多周波振動ドライバーの複数の振動モードに対応するパルスを予め設定するステップと、
ユーザーが選択した振動モードを受信し、前記多周波振動ドライバーに前記振動モードに対応するパルスを出力するステップと、
を更に含むことを特徴とする請求項１に記載のマッサージ装置の制御方法。
【請求項３】
前記マッサージ装置は、空気ポンプと、空気ポンプに接続されるエアポケットとを備え、
複数のエアポケット動作モードに対応するパルスを予め設定するステップと、
ユーザーが選択したエアポケット動作モードを受信し、前記空気ポンプに前記エアポケット動作モードに対応するパルスを出力するステップと、
を更に含むことを特徴とする請求項１に記載のマッサージ装置の制御方法。
【請求項４】
前記ユーザーが選択した温度モードを受信するステップは、
有線又は無線方式によりユーザーが選択した温度モードを受信することを含むことを特徴とする請求項１に記載のマッサージ装置の制御方法。
【請求項５】
予め設定した赤外線温湿布の複数の温度モード及び前記複数の温度モードに対応するパルスを記憶するための記憶ユニットと、
ユーザーが選択した温度モードを受信するためのモード受信ユニットと、
前記選択した温度モードに対応するパルスを出力することによって前記赤外線温湿布を前記パルスに対応する温度モードで動作させる対応出力ユニットと、
を含むことを特徴とするマッサージ装置。
【請求項６】
多周波振動ドライバーを更に備え、
前記記憶ユニットは、予め設定した前記多周波振動ドライバーの複数の振動モードに対応するパルスも記憶し、
前記モード受信ユニットは、ユーザーが選択した振動モードも受信し、
前記対応出力ユニットは、前記多周波振動ドライバーに前記振動モードに対応するパルスも出力することを特徴とする請求項５に記載のマッサージ装置。
【請求項７】
空気ポンプと、空気ポンプに接続されるエアポケットとを更に備え、
前記記憶ユニットは、予め設定した複数のエアポケット動作モードに対応するパルスも記憶し、
前記モード受信ユニットは、ユーザーが選択したエアポケット動作モードも受信し、
前記対応出力ユニットは、前記空気ポンプに前記エアポケット動作モードに対応するパルスも出力することを特徴とする請求項５に記載のマッサージ装置。
【請求項８】
音楽再生装置を更に備えることを特徴とする請求項５に記載のマッサージ装置。
【請求項９】
頭部マッサージ器、足部マッサージ器又は眼部マッサージ器に設けられることを特徴とする請求項５に記載のマッサージ装置。
【手続補正２】
【補正対象書類名】明細書
【補正対象項目名】０００９
【補正方法】変更
【補正の内容】
【０００９】
本発明は、従来技術に比べると、本発明の技術提案において、複数の種類の温度モードを設定し、ユーザーが選択した温度モードに応じて、このモードに対応するパルスを出力することによって赤外線温湿布の温度を調節するという有益な効果を有する。よって、この技術提案は、赤外線温湿布温度を調節できる利点を有する。
【手続補正３】
【補正対象書類名】明細書
【補正対象項目名】００２９
【補正方法】削除
【補正の内容】
【手続補正４】
【補正対象書類名】図面
【補正対象項目名】図３
【補正方法】変更
【補正の内容】
【図３】
2014500080.tif 000006
【国際調査報告】
2014500080.tif 000007
2014500080.tif 000008
2014500080.tif 000009
2014500080.tif 000010
2014500080.tif 000011
2014500080.tif 000012